(57)【特許請求の範囲】
【請求項１】
ユーザの身体に装着されるフレームと、
前記フレームに設けられ、外部に設置された送受信装置からの光信号を受信する受光素子と前記送受信装置に対して光信号を送信する発光素子とを備える受発光部と、
前記フレームに接続され、ユーザからの音声の入力を受ける音声入力部と外部から受信した音声を出力する音声出力部とを備える音声入出力部と、を有する装着型通信装置において、
前記受発光部が前記フレームに対して、互いに間隔を保って複数個設けられ、
前記フレームはその長さ方向がユーザの身体に対して斜め方向に装着されるものであり、
各受発光部の受光素子と発光素子は、その受光及び発光の範囲が隣り合う他の受発光部の受光素子と発光素子の受光及び発光の範囲と重なり合うように設けられ、
前記受光素子及び前記発光素子は、前記送受信装置に対する送受信範囲をカバーするように、フレームをユーザの身体に装着した際に水平面に対して斜め上方を向くように設けられていることを特徴とする装着型通信装置。
【請求項２】
前記受発光部の数は４つであり、互いに間隔を設けて前記フレームの外周面に放射状に配置されることを特徴とする請求項１に記載の装着型通信装置。
【請求項３】
前記受発光部は、山型に配置された一対の基板を有し、当該一対の基板のそれぞれに前記受光素子及び前記発光素子が搭載され、前記受光素子及び前記発光素子の受発光範囲が周辺部において相互に重なることを特徴とする請求項１又は２記載の装着型通信装置。
【請求項４】
前記受光素子及び前記発光素子は前記基板の同一面上に配置され、前記受光素子は可視光により外部からの音声信号を受信し、前記発光素子は赤外光により外部へ音声信号を送信し、前記発光素子は可視光遮光フィルタにより覆われていることを特徴とする請求項３記載の装着型通信装置。
【請求項５】
前記複数の受発光部の一部は、フレーム装着時にユーザの身体の後方に位置するよう配置され、当該一部の受発光部の一対の基板は前記フレームの開口面に対して垂直に配置されていることを特徴とする請求項３又は４に記載の装着型通信装置。
【請求項６】
前記複数の受発光部の一部は、フレーム装着時にユーザの身体の前方に位置するよう配置され、当該一部の受発光部の一対の基板は前記フレームの開口面に対して斜め上方を向くように配置されていることを特徴とする請求項３乃至５のいずれか一項に記載の装着型通信装置。
【請求項７】
前記フレームは、略Ｃ字形状のネックバンドであり、頸部に装着した際に、前記ネックバンドの中心部が後頭部の付け根に当接し、両端部が頸部前側の鎖骨付近の位置に当接して係止されることを特徴とする、請求項１乃至６のいずれか一項に記載の装着型通信装置。
【請求項８】
前記フレームは、円周の一部が欠けた円形状であり、円の半径を変えることによって、ユーザの頸部、腰部、腕部、又は頭部に装着することができることを特徴とする請求項１乃至６のいずれか一項に記載の装着型通信装置。
【発明の詳細な説明】
【技術分野】
【０００１】
本発明は、赤外光通信や可視光通信などの光通信に使用可能な装着型通信装置に関する。
【背景技術】
【０００２】
医療施設や工場、機械設備等の現場における作業・保守やテレビ局等の放送局の現場において、赤外光や可視光などを用いて光通信を行う通信装置が採用されている。
【０００３】
例えば、特許文献１においては、室内に設置されたＬＥＤ照明装置（親機）と、携帯電話等の端末装置（子機）との間で、可視光あるいは赤外光を利用した双方向通信を行う技術が開示されている。光通信は、電波通信のように機械設備や医療機器が電波の影響によって誤動作するおそれがなく、また有線通信のように配線等が作業の障害となる問題もない。また、光通信は電波のように隣の部屋に通信内容が漏れることがなく、セキュリティの高いシステムの構築が可能である。
【０００４】
光通信に使用される子機の態様としては、特許文献１に開示される携帯電話等の携帯端末の他に、特許文献２に開示されるユーザの頭部に装着して使用するヘッドホン型通信装置がある。ヘッドホン型通信装置においては、ユーザからの音声の入力を受けるマイクロホンと親機から受信した音声を出力するスピーカとを備えたヘッドホンの頭頂部近傍に、外部からの音声データを受信する受光素子と外部へ音声データを送信する発光素子とを備える受発光部を配置して、親機との通信を行う。このヘッドホン型通信装置は、両手を自由に使えるので作業しながら通信を行う場合に適している。
【０００５】
ユーザの身体に装着するタイプの通信装置としては、上述したヘッドホン型通信装置の他に、頸部、腰部又は腕部に装着するタイプがある。これらは、受発光部を備えた通信装置を配置したバンドを身体の各部に装着して通信を行う。音声の入出力は、例えば、頭部に装着したマイクロホンやイヤホンに接続することによって行う。このタイプは、ヘッドホン型のように頭部に重量が集中することがないため、長時間装着しても疲れにくいという利点がある。
【先行技術文献】
【特許文献】
【０００６】
【特許文献１】特開２００４−２２１７４７号公報
【特許文献２】特開２００２−４４０２９号公報
【発明の概要】
【発明が解決しようとする課題】
【０００７】
ところで、このユーザの身体に装着するタイプの通信装置は、作業中のユーザの体勢によっては、天井に設けられた親機の受発光可能な範囲から外れてしまうことがある。さらに、特に頸部や腰部に装着した場合は、ユーザ自身の身体によって受発光が遮られることも多い。そのため、通信装置を装着する身体の箇所に応じて、受発光素子の個数や配置は、個々に設計する必要があった。
【０００８】
本発明は、上記のような従来技術の課題を解決するもので、その目的は、ユーザの頸部、腰部、腕部、頭部等の身体の様々な箇所に装着することができる装着型通信装置であって、ユーザの周囲の広範囲にわたって受発光を確保すると同時に、親機の受発光範囲をカバーし、ユーザの身体によって受発光が遮られることを低減することによって、親機との通信をより確実に行うことができる装着型通信装置を提供することにある。
【課題を解決するための手段】
【０００９】
上記の目的を達成するために、本発明は、ユーザの身体に装着されるフレームと、前記フレームに設けられ、外部に設置された送受信装置からの光信号を受信する受光素子と前記送受信装置に対して光信号を送信する発光素子とを備える受発光部と、前記フレームに接続され、ユーザからの音声の入力を受ける音声入力部と外部から受信した音声を出力する音声出力部とを備える音声入出力部と、を有する装着型通信装置において、前記受発光部が前記フレームに対して、互いに間隔を保って複数個設けられ、前記フレームはその長さ方向がユーザの身体に対して斜め方向に装着されるものであり、各受発光部の受光素子と発光素子は、その受光及び発光の範囲が隣り合う他の受発光部の受光素子と発光素子の受光及び発光の範囲と重なり合うように設けられ、前記受光素子及び前記発光素子は、前記送受信装置に対する送受信範囲をカバーするように、フレームをユーザの身体に装着した際に水平面（床面：以下同じ）に対して斜め上方を向くように設けられていることを特徴とする。
【００１０】
以上の態様では、ユーザの身体に装着するフレームに複数の受発光部を配置し、各受発光部の受光素子と発光素子は、隣り合う他の受発光部の受光素子と発光素子と、受光範囲及び発光範囲がそれぞれ重なり合うように構成したことで、ユーザの周囲の広範囲にわたって配光を得ることができる。さらにフレーム装着時に受発光部の受光素子及び発光素子が水平面に対して斜め上方を向くように構成したことで、外部の送受信装置の送受信範囲をカバーし、かつユーザの身体によって受発光が遮られることを低減して、より確実に光通信を行うことができる。
【００１１】
また、本発明の態様として、前記受発光部の数を４つとし、互いに間隔を設けて前記フレームの外周面に放射状に配置することも可能である。この配置によって、各受発光部の受発光範囲が周辺部において互いに重なり合い、ユーザの周囲の全方位において、受発光を行うことができる。
【００１２】
また、本発明の態様として、前記受発光部は、山型に配置された一対の基板を有し、当該一対の基板のそれぞれに前記受光素子及び前記発光素子が搭載され、前記受光素子及び前記発光素子の受発光範囲が周辺部において相互に重なるようにすることも可能である。これにより、受光及び発光の強度が弱くなる周辺部分についても、十分な受光及び発光の強度を得ることができる。
【００１３】
また、更なる本発明の態様として、前記受光素子及び前記発光素子を前記基板の同一面上に配置し、前記受光素子は可視光により外部からの音声信号を受信し、前記発光素子は赤外光により外部へ音声信号を送信し、前記発光素子は可視光遮光フィルタにより覆われるようにすることができる。これにより、発光素子の発光に含まれる可視光による受光素子への干渉を防止することができ、基板の同一面上に受光素子と発光素子とを並べて配置して省スペースを達成することができる。
【００１４】
本発明の更なる態様として、前記複数の受発光部の一部を、フレーム装着時にユーザの身体の前方に位置するよう配置し、当該一部の受発光部の一対の基板を前記フレームの開口面に対して垂直に配置することも可能である。これにより、装着時にユーザの身体の後ろ側に位置する受発光部の受光素子及び発光素子が斜め上方を向き、天井付近に設けられた親機との通信に必要な配光特性を確保することができる。
【００１５】
本発明の更なる態様として、前記複数の受発光部の一部を、フレーム装着時にユーザの身体の前方に位置するよう配置し、当該一部の受発光部の一対の基板を前記フレームの開口面に対して斜め上方を向くように配置することも可能である。これにより、装着時にユーザの身体の前側に位置する受発光部の受光素子及び発光素子が斜め上方を向き、天井付近に設けられた親機との通信に必要な配光特性を確保することができる。
【００１６】
本発明の更なる態様として、前記フレームを、略Ｃ字形状のネックバンドとし、頸部に装着した際に、前記ネックバンドの中心部が後頭部の付け根に当接し、両端部が頸部前側の鎖骨付近の位置に当接して係止されるようにすることができる。これによって、頸部に掛かる装置の重量を頸部と肩に分散させることができる。
【００１７】
本発明の更なる態様として、前記フレームを、円周の一部が欠けた円形状とし、円の半径を変えることによって、ユーザの頸部、腰部、腕部、又は頭部に装着することができる。
【発明の効果】
【００１８】
本発明によれば、ユーザの身体に様々な箇所に装着することができ、ユーザが移動したり体勢を変えたりした場合でも、親機との通信を確実に行うことができる装着型通信装置を提供することができる。
【図面の簡単な説明】
【００１９】
【図１】本発明の実施形態に係る、頸部装着型通信装置の全体構成を示す正面図（ａ）、側面図（ｂ）、及び平面図（ｃ）である。
【図２】本発明の実施形態に係る、頸部装着型通信装置の回路構成を示すブロック図である。
【図３】本発明の実施形態に係る、頸部装着型通信装置の受発光部を拡大して内部を透視した正面図（ａ）、平面図（ｂ）、側面図（ｃ）及び斜視図（ｄ）である。
【図４】本発明の実施形態に係る頸部装着型通信装置がカバーで覆われた状態を示す正面図（ａ）、側面図（ｂ）、及び平面図（ｃ）である。
【図５】本発明の実施形態に係る頸部装着型通信装置の基板の配置を模式的に示す図である。
【図６】本発明の実施形態に係る頸部装着型通信装置の装着状態を模式的に示す正面図（ａ）、側面図（ｂ）、及び平面図（ｃ）である。
【図７】本発明の実施形態に係る頸部装着型通信装置を装着した際の基板の傾き及び受発光分布を模式的に示す側面図（ａ）及び正面図（ｂ）である。
【図８】本発明の実施形態に係る頸部装着型通信装置を装着した際の配光特性を模式的に示す正面図（ａ）、側面図（ｂ）、平面図（ｃ）及び斜視図（ｄ）である。
【図９】本発明の実施形態に係る頸部装着型通信装置の受信処理を示すフローチャート図である。
【図１０】本発明の実施形態に係る頸部装着型通信装置の送信処理を示すフローチャート図である。
【図１１】本発明の別の実施形態に係る腰部装着型通信装置の装着状態を模式的に示す正面図（ａ）、側面図（ｂ）、及び背面図（ｃ）である。
【図１２】本発明の別の実施形態に係る腕部装着型通信装置の装着状態を模式的に示す正面図（ａ）、側面図（ｂ）、及び斜視図（ｃ）である。
【図１３】本発明の別の実施形態に係る頭部装着型通信装置の装着状態を模式的に示す正面図（ａ）、側面図（ｂ）、及び斜視図（ｃ）である。
【発明を実施するための形態】
【００２０】
以下、本発明の実施形態を説明する。装着型通信装置の代表的な例として、頸部に装着するものを本実施形態として説明するが、後述するように本発明は頸部装着型に限られず、腰部、腕部、又は頭部に装着することも可能である。
【００２１】
［１．本実施形態］
［１−１．全体構成］
最初に、本実施形態における頸部装着型通信装置の全体的な構成について、図１を用いて説明する。図１（ａ）に示すように、頸部装着型通信装置１は、ネックバンド２と、音声入出力部３と、４つの受発光部４ａ，４ｂ，４ｃ，４ｄとからなる。
【００２２】
ネックバンド２は、合成樹脂等の可撓性のある素材で形成され、略Ｃ字形状又は円周の一部が欠けた円形状の枠体であって、装着時にユーザの頸部に沿うようになっている。ネックバンド２は円形の開口面Ｈを形成し、その半径ｒの長さは、ネックバンドの円周がユーザの首周りにフィットするように定められる。例えば、平均的な成人の首回りのサイズが３５〜４０ｃｍ程度とすると、半径ｒを５〜７ｃｍとすることで、ユーザの首に沿うように装着することができる。ネックバンド２の一端には、ゴム部材等からなる滑り止めが施され、他端には音声出力部３が接続されている。ネックバンド２の外周面には、４つの受発光部４ａ，４ｂ，４ｃ，４ｄが放射状に配置されている。
【００２３】
音声入出力部３はネックバンド２に取り付けられ、図１（ｂ）に示すように、頸部装着型通信装置１を側面から見た際にネックバンド２と同一線上に位置するように軸支されている。音声入出力部３には、外部から受信した音声データを外部スピーカに出力するためのイヤホン用ジャック３１及びヘッドホン用ジャック３２が設けられている。さらに、音声入出力部３にはユーザからの音声の入力を受けるマイクロホン３３が取り付けられている。なお、音声入出力部にイヤホン用ジャック又はヘッドホン用ジャックを設ける代わりに、スピーカを設けて音声出力を行うことも、装置全体の重量を考えた上で製品上弊害とならなければ、可能である。
【００２４】
また、本実施形態では、音声入出力部３はネックバンド２に機械的に接続されているが、ネックバンドと音声入出力部双方に接続用端子を設けて、ケーブル等により接続することも可能である。
【００２５】
４つの受発光部４ａ，４ｂ，４ｃ，４ｄは、フォトダイオードで構成される受光素子４３と赤外ＬＥＤで構成される発光素子４４とを備える。これらの受発光部の構成については後に詳述するが、発光素子４４はスモークフィルタで覆われているため、図１に示すように、受光素子４３のみが外部から視認できる状態となっている。受発光部４ａ，４ｂ，４ｃ，４ｄはそれぞれ、ネックバンド２に内蔵されたケーブルによって、他の受発光部及び音声入出力部３に接続されている。
【００２６】
なお、図示は省略するが、頸部装着型通信装置１はケーブルによりＡＣ電源、内蔵電池、又は別体として設けられた電池に接続されるものである。
【００２７】
このような頸部装着型通信装置１における光通信を実現するための回路構成は、基本的に従来と同様であり、その一例は図２のブロック図に示すとおりである。すなわち、頸部装着型通信装置１は、データの受信機能を実現するため、受光素子４３で受信した親機Ｓからの可視光信号を電気信号に変換する可視光受信部２０３、可視光受信部２０３から出力された音声となる信号を抽出する受信データ分解部２０２、この信号を音声信号となるアナログ信号に変換して外部スピーカに出力するアナログ変換部２０１を備えている。
【００２８】
また、頸部装着型通信装置１は、データの送信機能を実現するため、マイクロホン３３から入力されたアナログ音声信号を符号化処理するエンコード処理部２０４と、この信号を発光素子４４によって親機Ｓに対して送信するために赤外光信号に変換する赤外光送信部２０５を備えている。
【００２９】
本実施形態の頸部装着型通信装置１は、ネックバンド２における受発光部４ａ，４ｂ，４ｃ，４ｄの配置構成及び内部構成に特徴を有するものであり、その他の音声入出力部等の詳細な構成は、従来の通信装置と変わりないので、これらの構成についての説明は省略する。また、親機Ｓの構成についても、従来技術と同様であって、本発明において顕著な構成ではないので説明を省略する。
【００３０】
［１−２．受発光部の構成］
次に、本実施形態の頸部装着型通信装置１における受発光部４ａ，４ｂ，４ｃ，４ｄの配置構成及び内部構成について詳述する。
【００３１】
［１−２−１．受発光部の配置構成］
図１（ａ）に示すように、本実施形態では、ネックバンド２のＣ字形状の左右両端付近に配置される２つの前方受発光部４ａ，４ｂと、中心付近に配置される２つの後方受発光部４ｃ，４ｄとからなる、４つの受発光部が配置されている。各受発光部は、互いに間隔を空けて配置されている。一例として、受光素子、発光素子ともに、光軸から６０°の範囲において５０％の受発光量を有するものを使用した場合に、ネックバンド２が形成する開口面Ｈの中心点に対して、受発光部４ａ及び４ｃが６０°、受発光部４ｃ及び４ｄは９０°、受発光部４ｄ及び４ｂは６０°、受発光部４ｂ及び４ａは１５０°の角度をそれぞれなすように間隔を空けて配置される。さらに、後述するように、前方受発光部４ａ，４ｂの基板は斜め上方に傾けて配置されている。これによって、全ての受発光部の受発光範囲が周辺部において隣り合う受発光部と重なるため、ユーザの周囲の３６０°全体に漏れなく配光が得られ、さらに視覚的なバランスも良い。
【００３２】
もちろん、本発明はこのような態様に限られず、各受発光部の配置は、使用される受光素子及び発光素子の特性や、装置全体のバランスを考慮して決定されるので、受発光部を等間隔に配置することも可能である。
【００３３】
［１−２−２．受発光部の内部構成］
各受発光部４ａ，４ｂ，４ｃ，４ｄは、音声入出力部３や他の受発光部と接続するための回路構成やケーブル等の内部構成を備えた筐体４１を備える。図１（ａ）に示すように、筐体４１は長円状に形成され、ネックバンド２の外周に沿って取り付けられている。筐体４１の表面部分には一対の基板４２，４２が山型に配置されている。図３（ａ）〜（ｄ）の拡大透視図に示すように、各基板上には、受光素子４３を構成するフォトダイオードと発光素子４４を構成する赤外ＬＥＤとが搭載されている。
【００３４】
ここでフォトダイオードと赤外ＬＥＤを同一基板上に配置した場合、赤外ＬＥＤの発光には可視光も含まれるため、フォトダイオードの受光結果に影響を及ぼすことが考えられる。そこで、本実施形態では、図３（ａ）に示すように、受光素子４３をコネクタ４６，４６を介して発光素子４４より高い位置に取り付け、さらに発光素子４４を赤外光を透過し可視光を遮光するスモークフィルタ４７で覆うことにより、受光素子４３への可視光による干渉を防止し、基板の同一表面上に受光素子４３と発光素子４４とを配置することを可能としている。
【００３５】
なお、図１では省略しているが、受発光部４ａ，４ｂ，４ｃ，４ｄを構成する上記要素はすべて、図４（ａ）〜（ｃ）に示すように、略半球状の透明カバー４８により覆われて保護されている。
【００３６】
図３（ａ），（ｂ）に示すように、一対の基板４２，４２は、各基板の一端を、連結部材４５によって相互に連結して筐体４１の表面から離隔し、他端を筐体４１の表面に接するように配置することによって、筐体４１の表面上で山型を形成している。山型の角度は、使用する受光素子及び発光素子の配光特性によって決定される。一例として、光軸から６０°の範囲において５０％の受発光量を有する受光素子及び発光素子を使用した場合を、図５に模式的に示す。この場合は、山型の角度が１３５°となるように基板を配置することによって、各基板上の受光素子４３の光軸が４５°で交差し、受光範囲が周辺部分において相互に重なるため、受光強度が弱くなる周辺部分でも十分な受光強度を得ることができる。受光素子４３と同一基板上に配置された発光素子４４についても、この構成によって十分な発光強度を得ることができる。
【００３７】
ここで、図１（ａ）に示すように、後方受発光部４ｃ，４ｄのそれぞれの一対の基板４２，４２は、ネックバンド２の開口面Ｈに対して垂直に配置されている。このとき、一対の基板４２，４２が形成する山型の頭頂部は筐体４１に対しては平行になる。一方、前方受発光部４ａ，４ｂの基板４２，４２は、ネックバンド２の開口面Ｈに対して上方に傾くように配置されている。このとき、基板が形成する山型の頭頂部は筐体４１に対して非平行になる。なお、基板の傾きは後述する頸部装着型通信装置１を装着した際の傾きを考慮して約４０°となっている。
【００３８】
このように基板の向きを後方と前方の受発光部で変えることによって得られる効果について、図６を用いて説明する。図６（ａ）〜（ｃ）は、平均的な人間の頭部に、本実施形態の頸部装着型通信装置１を装着した状態を模式的に示すものである。
【００３９】
頸部装着型通信装置１は、ネックバンド２をユーザの後頭部側から頸部に掛けて装着する。図６（ｂ）に示すように、装着時にネックバンド２は、その長さ方向（図１（ｂ）に図示されるネックバンド側面の長さ方向）がユーザの身体に対して斜め方向に向き、中心部が後頭部と頸部の付け根に当接し、両端部は頸部前側の鎖骨付近の位置に当接する。このとき、ネックバンド２の中心と開口面Ｈの中心点を通る仮想線ｌは上方に向く状態である。頸部装着型通信装置１全体は、水平面に対して上方に傾いた直線を描いて係止される。このように頸部装着型通信装置１の重量が、頸部と肩とに分散されることで、ユーザの頸部に掛かる負担が軽減される。さらに、ネックバンド２は２箇所で係止されるため、動きながらの作業でもずれにくい。なお、頸部装着型通信装置１の傾きの角度は、個人差はあるが、平均的に水平面に対して約４０°となる。
【００４０】
頸部装着型通信装置１を傾けて頸部に装着した場合の各受発光部の位置を、前方受発光部４ｂ及び後方受発光部４ｄを代表例として、図７に模式的に示す。図７（ａ）の側面図に模式的に示すように、後方受発光部４ｄは、頸部の後ろ側に位置し、筐体４１の表面全体が斜め上方を向く。このため、筐体４１上に平行に配置された基板４２，４２も同様に斜め上方を向く。具体的には、頸部装着型通信装置１の傾きに合わせて約４０°斜め上方に向くことになる。これによって各基板に設けられた受光素子４３及び発光素子４４は、図７（ａ）に示すように斜め上方に配光が分布する。
【００４１】
一方、前方受発光部４ｂは、頸部装着型通信装置１を傾けて装着しても、図７（ａ）に示すように、筐体４１は斜めに傾くのみである。しかしながら、上述したように基板４２，４２自体を予め上方に傾けて配置しているため、装着時にこれらの基板は斜め上方を向くことになる。これによって各基板に設けられた受光素子４３及び発光素子４４も、図７（ｂ）に示すように斜め上方に配光が分布する。
【００４２】
このように、前方及び後方の発光部４ａ，４ｂ，４ｃ，４ｄのいずれにおいても、装置装着時には受光素子及び発光素子が斜め上方を向くようになっている。かかる構成により、受光素子及び発光素子が天井付近に位置する親機Ｓの受発光範囲をカバーし、さらに装置の真上に位置するユーザの頭部によって受発光が遮られることも低減される。さらに、上述したように、各受発光部の受発光範囲は隣り合う受発光部と重なり合うため、結果として、図８に示すように、ユーザの周囲の全方位に配光特性が得られる。
【００４３】
［１−３．作用］ 
以上のような構成からなる本実施形態の頸部装着型通信装置１は、次の通り作用する。すなわち、頸部装着型通信装置１を頸部に装着すると、ネックバンド２は傾いて中心部が後頭部と頸部の付け根に当接し、両端部が頸部前方の鎖骨付近の位置に当接して係止される。この状態で、受発光部４ａ，４ｂ，４ｃ，４ｄの各受光素子４３及び発光素子４４の配光は、上述のように斜め上方に分布する。
【００４４】
このような状態において、天井付近に設けられた親機Ｓから送信される音声データの受信処理は、以下のようになされる。すなわち、図９に示すように、頸部装着型通信装置１に設けられた受光素子４３が親機Ｓからの可視光データを受信すると、その可視光受信部２０３が、可視光データをＦＭ復調し（ステップ１）、親機Ｓから続いて送信される音声データを含むパケットを受信して、受信データ分解部２０２に送出する。受信データ分解部２０２は、受信したパケットから音声信号を抽出し（ステップ２）、これをアナログ変換部２０１によってアナログに変換して（ステップ３）、イヤホン用ジャック３１又はヘッドホン用ジャック３２を介して外部スピーカから音声として出力する（ステップ４）。
【００４５】
一方、親機Ｓへの音声データの送信処理は、以下のようになされる。すなわち、図１０に示すように、頸部装着型通信装置１のマイクロホン３３からアナログの音声信号が入力されると（ステップ１１）、エンコード処理部２０４において符号化処理し（ステップ１２）、赤外光送信部２０５において赤外光信号に変換し（ステップ１３）、発光素子４４を構成する赤外ＬＥＤから赤外光を発してデータ送信を行なう（ステップ１４）。この場合、データ送信は受発光部４ａ，４ｂ，４ｃ，４ｄのうち、親機Ｓの最も近くに位置する受発光部のみから信号送信を行っても良いし、全ての受発光部から信号送信を行うようにしても良い。
【００４６】
［１−４．効果］ 
以上のような本実施形態の頸部装着型通信装置１によれば、ネックバンド２の外周面に４つの受発光部４ａ，４ｂ，４ｃ，４ｄを、互いに間隔を設け放射状に配置することによって、各受発光部の受発光範囲が周辺部分において互いに重なり合い、ユーザの周囲３６０°に漏れのない配光が得られる。さらに、デザイン上のバランスも良い。
【００４７】
また、各受発光部４ａ，４ｂ，４ｃ，４ｄにおいて、一対の基板４２，４２を山型を形成するように配置した。これによって、基板上に搭載された受光素子４３及び発光素子４４の受発光範囲が周辺部分において重なり合い、受光及び発光の強度が弱くなる周辺部分についても、十分な受光及び発光の強度を得ることができる。
【００４８】
さらに、各受発光部４ａ，４ｂ，４ｃ，４ｄにおいて、頸部装着型通信装置１の装着時に全ての受光素子４３及び発光素子４４が斜め上方を向くように基板４２，４２を配置したことにより、天井付近に設けられた親機Ｓの送受信範囲をカバーし、かつユーザの身体によって受発光が遮られることを低減して、親機Ｓとの光通信をより確実に行うことができる。
【００４９】
さらに、ネックバンド２を後頭部と頸部の付け根、及び頸部前方の鎖骨付近の位置に当接して係止されるように構成した。これにより、頸部装着型通信装置１の重量がユーザの頸部と肩に分散され、ユーザの頸部への負担を軽減することができる。さらに頸部装着型通信装置１が２箇所で係止されることによって、動きながらの作業にも適した安定性が得られる。
【００５０】
［２．他の実施形態］
本発明は、上述の実施形態に記載したものに限られない。特に、通信装置を装着する箇所については、頸部に限られず、以下に示すようにユーザの身体の各所に装着することが可能である。
【００５１】
［２−１．腰部装着型］
腰部装着型通信装置１００は、図１１（ａ）〜（ｃ）に示すように、本発明のフレームに相当する腰部装着用バンドに受発光部４ａ，４ｂ，４ｃ，４ｄを配置して、ユーザの背後から腰部に掛けて装着する。音声の入出力については、図示は省略するが、バンドに端子を設け、マイクロホンやスピーカ等の入出力手段に接続することによって行うことができる。図１１（ｂ），（ｃ）に示すように、腰部に装着した際も、頸部装着時と同様にバンドに傾きが生じる。したがって、上述の頸部装着型通信装置１のネックバンド２の半径ｒを腰部にフィットするように変更することで、受発光部の数や配置、基板の傾斜角度は、頸部装着型通信装置１の構成をそのまま適用しても、ユーザの周囲３６０°の配光特性を得ることができる。もちろん、装着時の具体的な傾き角度や親機Ｓとの位置関係に応じて、発光部の配置や基板の傾斜角度等を適宜調整することも可能である。
【００５２】
［２−２．腕部装着型］
腕部装着型通信装置２００は、図１２（ａ）〜（ｃ）に示すように、本発明のフレームに相当する腕部装着用バンドに受発光部４ａ，４ｂ，４ｃ，４ｄを配置して、ユーザの肩付近から腕の内側へ掛けて腕部に装着する。音声の入出力については、図示は省略するが、バンドに端子を設け、マイクロホンやスピーカ等の入出力手段に接続することにより行うことができる。図１２（ｂ），（ｃ）に示すように、腕部に装着した際も、頸部装着時と同様にバンドに傾きが生じる。したがって、上述の頸部装着型通信装置１のネックバンド２の半径ｒを腕部にフィットするように変更することで、受発光部の数や配置、基板の傾斜角度は、頸部装着型通信装置１の構成をそのまま適用しても、ユーザの周囲３６０°の配光特性を得ることができる。もちろん、装着時の具体的な傾き角度や親機Ｓとの位置関係に応じて、発光部の配置や基板の傾斜角度等を適宜調整することも可能である。
【００５３】
［２−３．頭部装着型］
頭部装着型通信装置３００は、図１３（ａ）〜（ｃ）に示すように、本発明のフレームに相当する頭部装着用バンドに受発光部４ａ，４ｂ，４ｃ，４ｄを配置し、バンドが頭部を横断してその両端が側頭部に当接するように装着する。音声の入出力については、図示は省略するが、バンドに端子を設け、マイクロホンやスピーカ等の入出力手段に接続することによって行うことができる。図１３（ｂ），（ｃ）に示すように、頭部に装着した際も、頸部装着時と同様にバンドに傾きが生じる。したがって、上述の頸部装着型通信装置１のネックバンド２の半径ｒを頭部にフィットするように変更することで、受発光部の数や配置、基板の傾斜角度は、頸部装着型通信装置１の構成をそのまま適用しても、ユーザの周囲３６０°の配光特性を得ることができる。もちろん、装着時の具体的な傾き角度や親機Ｓとの位置関係に応じて、発光部の配置や基板の傾斜角度等を適宜調整することも可能である。
この頭部装着型通信装置は、従来のヘッドホン型とは異なり、重量が分散されるので、長時間使用しても疲れにくいという利点がある。
【００５４】
［２−４．受発光部の更なる態様］
（イ）上述した実施形態では、例として４つの受発光部４ａ，４ｂ，４ｃ，４ｄを配置し、各受発光部に受光素子及び発光素子を２個ずつ備えたものについて説明したが、使用する受光素子及び発光素子の配光特性によって、配置する受発光部の数や、各受発光部の備える受光素子及び発光素子の数を適宜増減することが可能である。
【００５５】
（ロ）上述した実施形態では、親機Ｓからの音声データを可視光で受信し、親機Ｓへの音声データを赤外光で送信しているが、送受信の双方を可視光又は赤外光で行うことも可能である。また、親機Ｓからの音声データの受信を赤外光で行い、親機Ｓへの音声データの送信を可視光で行うことも可能である。その場合は、可視光を透過し赤外光を遮光するスモークフィルタで発光素子４４を覆い、受光素子への赤外光による干渉を防止する。
【００５６】
（ハ）上述した実施形態では、カバー４８は、受光素子４３を構成するフォトダイオード及び発光素子４４を構成する赤外ＬＥＤの配置に合わせて、略半球状に構成したが、カバー４８の形状はこのような場合に限られず、基板、受光素子、及び発光素子の配置構成に対応させて多面形状で構成することも可能である。
【００５７】
（ニ）上述した実施形態では、製造容易の観点から、発光素子を搭載した一対の基板４２，４２を山型を形成するように配置したが、製造過程の容易さを考慮しない場合には、一つの基板４２を筐体４１の表面に対して平行に設置し、受光素子４３及び発光素子４４をそれぞれの配光特性に基づいて基板４２に対して傾けて設置することも可能である。
【符号の説明】
【００５８】
１…頸部装着型通信装置
２…ネックバンド
３…音声入出力部
４ａ，４ｂ，４ｃ，４ｄ…受発光部
３１…イヤホン用ジャック
３２…ヘッドホン用ジャック
３３…マイクロホン
４１…筐体
４２…基板
４３…受光素子
４４…発光素子
４５…連結部材
４６…コネクタ
４７…スモークフィルタ
４８…カバー
１００…腰部装着型通信装置
２００…腕部装着型通信装置
３００…頭部装着型通信装置
Ｓ…親機
Ｈ…開口面
ｌ…仮想線
【図１】
0005502007.tif 000002
【図２】
0005502007.tif 000003
【図３】
0005502007.tif 000004
【図４】
0005502007.tif 000005
【図５】
0005502007.tif 000006
【図６】
0005502007.tif 000007
【図７】
0005502007.tif 000008
【図９】
0005502007.tif 000009
【図１０】
0005502007.tif 000010
【図１１】
0005502007.tif 000011
【図１２】
0005502007.tif 000012
【図１３】
0005502007.tif 000013
【図８】
0005502007.tif 000014